(57)【要約】【課題】  黒色もしくは銀色であるなど色や絵柄が１製品につき１種類であるというように限定されず、高価な材料を用いないでなおかつ多色でデザイン性に優れたスクラッチ隠蔽層を有するスクラッチカードを提供する。【解決手段】  本発明は、基材１５上の少なくとも一部に、印刷可能な印刷領域と、前記印刷領域を覆い、かつ削り取ることが可能なスクラッチ隠蔽層２０がインクジェットプリンターにより印刷可能なインクジェット受容層１２であることを特徴とするスクラッチカード１００により上記の課題を解決した。【選択図】  図１
2015080901.tif 000002
【特許請求の範囲】
【請求項１】
基材上の少なくとも一部に、印刷可能な印刷領域と、前記印刷領域を覆い、かつ削り取ることが可能なスクラッチ隠蔽層が設けられたスクラッチカードにおいて、前記スクラッチ隠蔽層はインクジェットプリンターにより印刷可能なインクジェット受容層であることを特徴とするスクラッチカード。
【請求項２】
前記インクジェット受容層に、前記インクジェットプリンターにより第一の印刷パターンが形成され、前記第一の印刷パターンは少なくとも前記印刷領域に印刷された印刷パターンを覆うことを特徴とする請求項１に記載のスクラッチカード。
【請求項３】
さらに、前記第一の印刷パターンと少なくとも一部が重なる領域に前記インクジェットプリンターにより第二の印刷パターンを形成したことを特徴とする請求項１または２に記載のスクラッチカード。
【発明の詳細な説明】
【技術分野】
【０００１】
本発明は、スクラッチ隠蔽層を具備したスクラッチカードに関し、更に詳しくは、コインや爪等により引っ掻く（スクラッチする）ことによりスクラッチ隠蔽層の少なくとも一部が削り取られ、下面に形成された秘匿情報が視認可能となるスクラッチカードに関するものである。
【背景技術】
【０００２】
インスタントくじ、宝くじやイベントくじ等において、「当たり」、「はずれ」等のくじの当否の文字情報、クイズの解答を示す記号や図形、絵柄、あるいは画像、コード、マーク、番号、個人情報等の秘匿情報をスクラッチが可能なスクラッチ隠蔽層で隠蔽した後、このスクラッチが可能なスクラッチ隠蔽層をコインや爪などで擦ることで、そのスクラッチ隠蔽層の下に表示された秘匿情報の内容を見ることができるスクラッチくじはよく知られている。これらのスクラッチくじは、一般的にスクラッチが可能なスクラッチ隠蔽層を基材上に設けておき、スクラッチ隠蔽層をコインや爪等で削り取ることで、下層に表示された秘匿情報の表示を目視で確認するものである。
これらの秘匿情報をフレキソ印刷機、オフセット印刷機、グラビア印刷機、活版印刷機、凹版印刷機、熱転写プリンター、レーザープリンター、ドットプリンター等により印刷して形成した上に、アルミ粉にバインダー成分を加えた銀インクを主成分とする引っ掻くことで破壊されるスクラッチ隠蔽層を形成したインスタントくじ、宝くじ、イベントくじ、秘匿情報伝達カード、クイズカード、プリペイドカード等が知られている。
【０００３】
上述したように、情報を隠蔽するという目的のために、印刷された秘匿情報の上にアルミ粉等の金属の微粉末を含むインクで形成したスクラッチ隠蔽層を被覆することにより、秘匿情報を透視できないようにしている。
正当な使用者が秘匿情報を取得するためには、スクラッチ隠蔽層を引っ掻いて削りカスを除去することにより、秘匿情報を目視で確認することができる。
【０００４】
秘匿情報をオフセット印刷により形成し、さらに活版印刷により銀インクを用いてスクラッチ隠蔽層を形成したスクラッチ印刷物の製造方法に関する公知文献が開示されている（例えば、特許文献１）。
【先行技術文献】
【特許文献】
【０００５】
【特許文献１】特開平７−１０８７５１号公報
【発明の概要】
【発明が解決しようとする課題】
【０００６】
しかしながら、従来のスクラッチ隠蔽層は、銀インクを用いているため高コストであるということと、黒色もしくは銀色であるなど色や絵柄が１製品につき１種類であるというように限定されてしまうという問題があった。そこで、高価な材料を用いないでなおかつ多色でデザイン性に優れたスクラッチ隠蔽層を提供することを目的とする。
【課題を解決するための手段】
【０００７】
本発明は以下の各発明により上記課題を解決した。なお、以下の各発明に付した括弧内の符号は、図面に付した符号と対応している。
【０００８】
本発明に係わる第１の発明は、基材（１５）上の少なくとも一部に、印刷可能な印刷領域と、前記印刷領域を覆い、かつ削り取ることが可能なスクラッチ隠蔽層（２０）が設けられたスクラッチカード（１００）において、前記スクラッチ隠蔽層はインクジェットプリンターにより印刷可能なインクジェット受容層（１２）であることを特徴とするスクラッチカード（１００）である。
【０００９】
本発明に係わる第２の発明は、第１の発明において、前記インクジェット受容層（１２）に、前記インクジェットプリンターにより第一の印刷パターン（１１）が形成され、前記第一の印刷パターン（１１）は少なくとも前記印刷領域に印刷された印刷パターン（１４）を覆うことを特徴とするスクラッチカード（１００）である。
【００１０】
本発明に係わる第３の発明は、第１の発明または第２の発明において、さらに、前記第一の印刷パターン（１１）と少なくとも一部が重なる領域に前記インクジェットプリンターにより第二の印刷パターン（１０）を形成したことを特徴とするスクラッチカード（１００）である。
【発明の効果】
【００１１】
本発明のスクラッチカードは、スクラッチ隠蔽層にインクジェット受容層用のインクを使用しているため基材と接着するためのある程度の接着強度はあるが、コインや爪等で削りとることが可能であるという効果がある。さらにスクラッチ隠蔽層にはインクジェットプリンターにより好みの色や絵柄を印刷することが可能であるという効果がある。
【図面の簡単な説明】
【００１２】
【図１】本実施形態に係わるスクラッチカードの断面図の一例である。
【図２】本実施形態に係わるスクラッチカードの平面図の一例である。
【発明を実施するための形態】
【００１３】
次に、本発明の実施形態について、図面を参照して説明する。
【００１４】
図１は、本実施形態に係わるスクラッチカードの断面図の一例である。
図１において、１０は第二の印刷パターン、１１は第一の印刷パターン、１２はインクジェット受容層、１３は絵柄層、１４は印刷パターン、１５は基材、１６は印刷領域、２０はスクラッチ隠蔽層、１００はスクラッチカードを示している。
【００１５】
基材１５の少なくとも一部に、印刷可能な印刷領域に秘匿情報である印刷パターン１４を印刷する。基材１５に好適に使用できるものとしては、ポリアミド、セルロースジアセテート、セルローストリアセテート、ポリスチレン、ポリエチレン、ポリプロピレン、ポリエチレンテレフタレート（ＰＥＴ）、ポリイミド、ポリカーボネート、ポリ乳酸（ＰＬＡ）があり、その他の樹脂を用いても良い。基材１５の厚さは、印刷パターン１４が基材１５面側から視認してしまうのを回避するため１８８μｍ以上である。
【００１６】
印刷方法としてはフレキソ印刷、オフセット印刷、グラビア印刷、活版印刷、凹版印刷、熱転写プリンター、レーザープリンター、ドットプリンター等を適宜用いることができるが本実施形態ではＵＶオフセット印刷を用いた。ＵＶオフセット印刷は、既存の油性インクに対して紫外線硬化型インクを使用し印刷直後に紫外線を照射することで、瞬間的に硬化するので今までの油性インクでは得られなかった様々な下記のような特徴がある。
１．スプレーパウダーを使用しないので、電子部品関係や食品関係など、不純物の混入を避ける必要のある印刷物や、各種表面加工の際にパウダーが残ると仕上がりに悪影響を及ぼす印刷物にも最適である。
２．ＵＶ耐候インクを使い、屋外の直射日光に強いポスターやパネルなどの印刷物ができる。
３．硬化した表面は樹脂皮膜で形成されるため、油性インクに比べて耐摩擦性が高くキズが付きにくく、パッケージや高級カタログの印刷などに最適である。同時にＵＶニス印刷を施すと、艶とさらに高い耐摩擦性が得られる。 
４．印刷と同時に印刷面が硬化乾燥するために、後工程の加工へすぐにかかれ、短納期の仕事に対応できる。
５．有機溶剤を含まないので、臭気が少ないため、薬品・食品・化粧品などの印刷物にも適している。またＵＶニスで表面コートされた印刷物は古紙として再利用できる点でも環境にやさしいといえる。
【００１７】
秘匿情報の上にインクジェット受容層１２をインクジェットプリンターで形成する。ウレタン系樹脂、アクリル系樹脂等の樹脂からなるインクジェット受容層１２は、厚さ３μｍ〜５０μｍの範囲が好ましく、厚さ２０μｍ〜４０μｍで塗工乾燥することがより好ましい。
【００１８】
図示はしていないが、基材１５と印刷パターン１４との接着を強固なものとするため基材１５上にアンカー層を塗工することもできる。殊に、アンカー層を形成することにより印刷パターン１４はコインや爪等で削られず、インクジェット受容層１２のみを容易に削り取りやすくすることが可能である。アンカー層は、例えば、ウレタンアクリレート、エポキシアクリレートなどの電離放射線硬化型樹脂や、ポリエステル、塩化ビニルー酢酸ビニル共重合体などの樹脂から構成されることが好ましい。その厚さは、０．０１μｍ〜５μｍの範囲に形成するのが好ましく、０．５μｍ〜３μｍに形成するのがより好ましい。スクラッチ隠蔽層２０を透かして目視した場合に印刷パターン１４が視認できないように印刷パターン１４の印刷濃度を薄くして印刷することが好ましい。
【００１９】
さらに前記インクジェット受容層１２の上に第一の印刷パターン１１をインクジェットプリンターを用いて絵柄、文字、記号などの画像を印刷した。絵柄は地紋、彩文等を多色で好適に使用することができる。あるいは第一の印刷パターン１１は、無地でインクジェット受容層１２の少なくとも基材１５の印刷領域１６を覆うように形成することも可能である。勿論、第一の印刷パターン１１はインクジェット受容層１２の全体を覆うように形成してもよい。
【００２０】
インクジェットプリンターの方式は、コンティニュアス型とオンデマンド型に分類できる。現在実用されているものの中でも小型プリンター用として主流となっているのはオンデマンド型で、インク滴に圧力を加える方法により、ピエゾ方式、サーマル方式、静電方式に分けられる。
【００２１】
コンティニュアス型の原理は下記の通りである。ポンプによってノズルから連続的に押し出されたインクは超音波発振器によって微小な液滴になる。インク滴は電極によって電荷が加えられ、印字の必要に応じて偏向電極で軌道を曲げられて基材の印字面に到達する。偏向電極で曲げられなかったインクはガターと呼ばれる回収口に吸い込まれ、インクタンクに戻り再利用される。印刷していないときもインクは常に連続的に噴射される。ポンプによる高い圧力でインクを押し出すので高粘度のインクが使用でき、また連続的にインクを押し出すことから速乾性のインクも使用できるなどインクの選択幅が広い。さらに超音波振動で作られるインク滴は毎秒１００滴以上で生成することが可能であり高速であるが構造が大がかりで小型化が難しく、工業用のマーカーとして利用されている。
【００２２】
一方オンデマンド型の原理は、印字時に必要なときに必要な量のインク滴を吐出する方式である。吐出後のインク供給には毛細管現象を利用しているため高粘度のインクは使用できないこと、インク滴の生成速度が毎秒１０滴程度であるなどの欠点があるが構造が簡単で小型化やマルチヘッド化がしやすいなどの長所がある。家庭用のインクジェットプリンターは、ほぼすべてオンデマンド型である。
【００２３】
インクジェットプリンターでの印刷に使用されるインクは、オンデマンド型プリンターではほぼすべて水性のインクが使用されている。水性インクは主に染料系インクと顔料系インクの２種類に分けられる。染料系インクは基材に対して色素を染み込ませて色をつける。染料系インクは色再現性が高く、光沢が出やすいのが特徴である。それに対して顔料系インクは、インクの色素を基材表面に固着して色をつける。顔料系インクは耐水性が高く、また耐光性が高いのが特徴である。
【００２４】
本実施形態では、インクジェットプリンターのインクをスクラッチ隠蔽層２０の材料として用いるため水性顔料インクを使用した。
【００２５】
前記第一の印刷パターン１１と少なくとも一部が重なる領域に第二の印刷パターン１０をインクジェットプリンターを使用して絵柄、文字、記号などの画像を印刷した。絵柄は地紋、彩文等を多色で好適に使用することができる。
【００２６】
基材１５の表面には、絵柄や文字、図形等が印刷された絵柄層１３が形成されている。
【００２７】
図２は、本実施形態に係わるスクラッチカードの平面図の一例である。
図２において、２０はスクラッチ隠蔽層である。スクラッチ隠蔽層２０は、通常使用されているものに比べてスクラッチ隠蔽層２０の外周のエッジ部分がシャープである。さらに第二の印刷パターン１０は、本実施形態の場合、例えば＋−×÷を示しており、第一の印刷パターン１１と第二の印刷パターン１０との間の境界がシャープであり第二の印刷パターン１０は多色でなおかつデザイン性に優れている。スクラッチ隠蔽層２０のスクラッチカード１００内での領域および位置は特に限定はされない。スクラッチ隠蔽層２０をコインや爪で削り取ると下面にある秘匿情報を視認することができた。
【００２８】
スクラッチ隠蔽層２０がインクジェット受容層１２から構成されていることは上記でも記載したが、通常は基材１５がＰＥＴ等のプラスチック製品においてはインクジェット受容層１２が基材１５からコインや爪等で剥離しやすい性質を有している。この性質を長所として逆に利用したことが本実施形態の意図するところである。すなわち基材１５とインクジェット受容層１２とは接着してはいるもののコインや爪等でインクジェット受容層１２を容易に削り取ることが可能な接着強度である。
【００２９】
以下、具体的な実施例について説明する。
【実施例】
【００３０】
（実施例１）          
基材１５は、白色の厚さ１８８μｍでカード（８５．６ｍｍ× ５４．０ｍｍ）に使用できるものを用いた（銘柄Ｕ２９２Ｗ；帝人デュポンフィルム株式会社製）。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４７７；高松油脂株式会社製）。
製品名ＭＺ−４７７は、混合品であり、含有量は、
非晶質二酸化ケイ素、ポリウレタンおよびビニル系樹脂の混合物  ２３．４％
１−プロパノール  ０．８％
Ｎ−メチルー２ピロリドン  １．０％
水  ７４．８％  である。
インクジェットプリンター用インクとしては、水性顔料インクを用いた。
【００３１】
（実施例２）
基材１５は、白色の厚さ１８８μｍでカード（８５．０ｍｍ×５７．５ｍｍ）に使用できるものを用いた（銘柄Ｕ２９２Ｗ；帝人デュポンフィルム株式会社製）。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４７７；高松油脂株式会社製）。
製品名ＭＺ−４７７は、混合品であり、含有量は、
非晶質二酸化ケイ素、ポリウレタンおよびビニル系樹脂の混合物  ２３．４％
１−プロパノール  ０．８％
Ｎ−メチルー２ピロリドン  １．０％
水  ７４．８％  である。
インクジェットプリンター用インクとしては、水性顔料インクを用いた。
【００３２】
（実施例３）
基材１５は、白色の厚さ２５０μｍでカード（８５．６ｍｍ× ５４．０ｍｍ）に使用できるものを用いた（銘柄Ｕ２９２Ｗ；帝人デュポンフィルム株式会社製）。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４７７；高松油脂株式会社製）。
製品名ＭＺ−４７７は、混合品であり、含有量は、
非晶質二酸化ケイ素、ポリウレタンおよびビニル系樹脂の混合物  ２３．４％
１−プロパノール  ０．８％
Ｎ−メチルー２ピロリドン  １．０％
水  ７４．８％  である。
インクジェットプリンター用インクとしては、水性顔料インクを用いた。
【００３３】
（実施例４）
基材１５は、白色の厚さ２５０μｍでカード（８５．０ｍｍ×５７．５ｍｍ）に使用できるものを用いた（銘柄Ｕ２９２Ｗ；帝人デュポンフィルム株式会社製）。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４７７；高松油脂株式会社製）。
製品名ＭＺ−４７７は、混合品であり、含有量は、
非晶質二酸化ケイ素、ポリウレタンおよびビニル系樹脂の混合物  ２３．４％
１−プロパノール  ０．８％
Ｎ−メチルー２ピロリドン  １．０％
水  ７４．８％  である。
インクジェットプリンター用インクとしては、水性顔料インクを用いた。
【００３４】
（実施例５）
基材１５は、環境適性に優れた植物由来のプラスチック（ポリ乳酸）を主原料にした植物系生分解性フィルムでカードに使用できるものを用いた（エコロージュ；三菱樹脂株式会社製）。さらに基材１５上にポリエステル系のアンカー層を塗工した。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４７７；高松油脂株式会社製）。
製品名ＭＺ−４７７は、混合品であり、含有量は、
非晶質二酸化ケイ素、ポリウレタンおよびビニル系樹脂の混合物  ２３．４％
１−プロパノール  ０．８％
Ｎ−メチルー２ピロリドン  １．０％
水  ７４．８％  である。
インクジェットプリンター用インクとしては、水性顔料インクを用いた。
【００３５】
（実施例６）
基材１５は、白色の厚さ１８８μｍでカード（８５．６ｍｍ× ５４．０ｍｍ）に使用できるものを用いた（銘柄Ｕ２９２Ｗ；帝人デュポンフィルム株式会社製）。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４８０；高松油脂株式会社製）。
インクジェットプリンター用インクとしては、水性顔料インクを用いた。
【００３６】
（実施例７）
基材１５は、白色の厚さ１８８μｍでカード（８５．０ｍｍ×５７．５ｍｍ）に使用できるものを用いた（銘柄Ｕ２９２Ｗ；帝人デュポンフィルム株式会社製）。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４８０；高松油脂株式会社製）。
インクジェットプリンター用インクとしては、水性顔料インクを用いた。
【００３７】
（実施例８）
基材１５は、白色の厚さ２５０μｍでカード（８５．６ｍｍ× ５４．０ｍｍ）に使用できるものを用いた（銘柄Ｕ２９２Ｗ；帝人デュポンフィルム株式会社製）。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４８０；高松油脂株式会社製）。
インクジェットプリンター用インクとしては、水性顔料インクを用いた。
【００３８】
（実施例９）
基材１５は、白色の厚さ２５０μｍでカード（８５．０ｍｍ×５７．５ｍｍ）に使用できるものを用いた（銘柄Ｕ２９２Ｗ；帝人デュポンフィルム株式会社製）。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４８０；高松油脂株式会社製）。
インクジェットプリンター用インクとしては、水性顔料インクを用いた。
【００３９】
（実施例１０）
基材１５は、環境適性に優れた植物由来のプラスチック（ポリ乳酸）を主原料にした植物系生分解性フィルムでカードに使用できるものを用いた（エコロージュ；三菱樹脂株式会社製）。さらに基材１５上にポリエステル系のアンカー層を塗工した。
インクジェットプリンターは、市販のインクジェットプリンターを用いた（型番ＰＸ−Ｇ９２０；セイコーエプソン株式会社製）。
インクジェット受容層１２として耐擦傷性、インク速乾性、耐水性が良好なウレタン系の製品を用い乾燥時の厚さ２５μｍで塗工した（製品名ＭＺ−４８０；高松油脂株式会社製）。
インクジェットプリンター用インクとしては、水性顔料インクを用いた。
【符号の説明】
【００４０】
１０    第二の印刷パターン
１１    第一の印刷パターン
１２    インクジェット受容層
１３    絵柄層
１４    印刷パターン
１５    基材
１６    印刷領域
２０    スクラッチ隠蔽層
１００  スクラッチカード
【図１】
2015080901.tif 000003
【図２】
2015080901.tif 000004